(57)【要約】      （修正有）【課題】冷蔵庫に設置固定したドライヤー内に挿入配管するキャピラリーチューブの向きを規制することによる異音発生防止と安定した冷却性能を一定に保つことを実現するものである。【解決手段】ホルダー１１で水平に保持固定され、一端にキャピラリーチューブ挿入口１２、他端に凝縮器パイプ挿入口１３を有するドライヤー３において、キャピラリーチューブ挿入口１２を下方に向け、ドライヤー３内に挿入されたキャピラリーチューブ先端を上方に向いて固定することができる冷蔵庫を提供するものである。【選択図】図１
2007327681.tif 000002
【特許請求の範囲】
【請求項１】
ホルダーで水平に保持固定され、一端にキャピラリーチューブ挿入口、他端に凝縮器パイプ挿入口を有するドライヤーにおいて、キャピラリーチューブ挿入口を下方に向け、ドライヤー内に挿入されたキャピラリーチューブ先端が上方を向いていることを特徴とする冷蔵庫。
【請求項２】
キャピラリーチューブにドライヤー内への挿入規制用位置決めを設けたことを特徴とする請求項１に記載の冷蔵庫。
【請求項３】
凝縮器パイプ挿入口がキャピラリーチューブ挿入口より上方に位置したことを特徴とする請求項１に記載の冷蔵庫。
【発明の詳細な説明】
【技術分野】
【０００１】
本発明は、冷蔵庫において設置固定したドライヤー内に挿入配管するキャピラリーチューブの向き・位置を規制することで、異音発生防止と安定した冷却性能維持を実現させる仕様に関するものである。
【背景技術】
【０００２】
冷蔵庫のドライヤーへのキャピラリーチューブの挿入配管はキャピラリーチューブの先端を屈曲させて挿入代管理している（例えば、特許文献１参照）。
【０００３】
図３は、特許文献１に記載された従来の冷蔵庫の冷凍サイクル図、図４は、従来の冷蔵庫の冷凍サイクルのドライヤーへのキャピラリーチューブの挿入配管状態図、図５は、ドライヤー内のキャピラリー端部入口部の冷媒循環挙動図を示すものである。図３に示すように、冷蔵庫に冷媒を循環供給している圧縮機１にコンデンサパイプ２、ドライヤー３、キャピラリーチューブ４、蒸発器５の順番で配管されており、キャピラリーチューブ４の先端はドライヤー３との配管時に溶接ロー材が流れ込み封止しないように適度な長さをドライヤー３内に挿入してあり、また、キャピラリーチューブ４の先端近傍では屈曲部４ａを形成して挿入代をばらつきなく工程作業中に管理できるよう構成している。
【０００４】
上記構成において、冷媒が循環して冷却システム回路が安定してくると、ドライヤー３内では冷媒９が液体層９ｂと気体層９ａの２層状態となっている事が知られている。冷媒９が液体層９ｂと気体層９ａの２層の境界水位面９ｃは、キャピラリーチューブ６の圧力自動調節機能により、キャピラリーチューブ６のやや上で平衡安定する。
【０００５】
冷媒９が循環する際、キャピラリーチューブ６は冷媒９を液体層９ｂだけでなく気体層９ａからも吸い込もうとし境界水位面９ｃは部分陥没し（９ｄ），気体冷媒９ｅはキャピラリーチューブ６内に流れ込む状態となる。
【特許文献１】実公昭６０−１２３５７０号公報
【発明の開示】
【発明が解決しようとする課題】
【０００６】
しかしながら、上記従来の構成では、ドライヤー３へのキャピラリーチューブ６挿入において、ドライヤー３の挿入口内経とキャピラリーチューブ６の外経には隙間が存在するためガタツキが生じ、溶接配管固定時にキャピラリーチューブの先端方向がドライヤー方向に対して偏向し、挿入したキャピラリーチューブ先端の向きを適正な向きに管理することができないため、キャピラリーチューブ６の先端が下方に向いた場合、気体冷媒９ｅを吸引して出来る部分陥没９ｄの先端角度はキャピラリーチューブ６の先端面６ａで規制され、鋭角な角度１０で吸い込まれて、冷媒９による笛吹き異音が発生してしまう。また境界水位面９ｃの陥没９ｅが切れる可能性が高くなり冷媒９の循環状態が不安定になって冷却性能が低下してしまう課題を有していた。
【０００７】
本発明は、上記従来の課題を解決するもので、設置固定したドライヤー内に挿入配管するキャピラリーチューブ先端の向き・形状を規制することによる異音発生防止と安定した冷却性能を一定に保つことができる冷蔵庫を提供することを目的とする。
【課題を解決するための手段】
【０００８】
上記従来の課題を解決するために、本発明の冷蔵庫は、ホルダーで水平に保持固定され、一端にキャピラリーチューブ挿入口、他端に凝縮器パイプ挿入口を有するドライヤーにおいて、キャピラリーチューブ挿入口を下方に向け、ドライヤー内に挿入されたキャピラリーチューブ先端が上方を向いているものである。
【０００９】
これによって、キャピラリーチューブ入口の冷媒流入状態を安定させることができる。
【発明の効果】
【００１０】
本発明の冷蔵庫は、設置固定したドライヤー内に挿入配管するキャピラリーチューブの向きを上方に規制することにより、異音発生防止と安定した冷却性能を一定に保つことができる。
【発明を実施するための最良の形態】
【００１１】
請求項１に記載の発明は、ホルダーで水平に保持固定され、一端にキャピラリーチューブ挿入口、他端に凝縮器パイプ挿入口を有するドライヤーにおいて、キャピラリーチューブ挿入口を下方に向け、ドライヤー内に挿入されたキャピラリーチューブ先端が上方を向いていることにより、キャピラリーチューブ入口の冷媒流入状態を安定させることができ、冷媒循環による異音の発生を防止すると共に安定した冷媒循環を確保し冷却性能を一定に保つことができる。
【００１２】
請求項２に記載の発明は、請求項１に記載の発明において、キャピラリーチューブにドライヤー内への挿入規制用位置決めを設けたものであり、キャピラリーチューブのドライヤー内への挿入規制を行う事が出来、冷媒の液化層と気化層の境界位置を全数安定させる事が出来る。
【００１３】
請求項３に記載の発明は、請求項１に記載の発明において、凝縮器パイプ挿入口がキャピラリーチューブ挿入口より上方に位置したものであり、凝縮器パイプから入る気化冷媒がドライヤー内の液化層へ入る事が無く、ボコボコ等の異音発生も無い。
【００１４】
以下、本発明の実施の形態について、図面を参照しながら説明するが、従来例又は先に説明した実施の形態と同一構成について同一符号を付して、その詳細な説明は省略する。なお、この実施の形態によってこの発明が限定されるものではない。
【００１５】
（実施の形態１）
図１は本発明の実施の形態１における冷蔵庫のドライヤーの側面図、図２はドライヤー内のキャピラリー端部入口部の冷媒循環挙動図を示すものである。
【００１６】
図１、２において、ドライヤー３はコンデンサ２とキャピラリーチューブ６に接続配管され、ホルダー１１で水平設置固定されている。ドライヤー３は一端にキャピラリーチューブ挿入口１２、他端に凝縮器パイプ挿入口１３を有している。キャピラリーチューブ挿入口１２は下方の傾斜１４を有し、キャピラリーチューブ６を挿入するとキャピラリーチューブ６先端は上方に向くよう溶接固定される。
【００１７】
キャピラリーチューブ６の先端近傍には屈曲部１５を有し、挿入規制用位置決めを行っている。ドライヤー３の凝縮器パイプ挿入口１３はキャピラリーチューブ挿入口１２より上方に位置している。
【００１８】
以上のように構成された冷蔵庫のドライヤー固定方向とキャピラリーチューブの先端方向について、以下その動作、作用を説明する。
【００１９】
まず、水平に保持して固定したドライヤー３内には、キャピラリーチューブ６の先端はドライヤーの挿入口の傾斜１４により上方に向いて固定される。冷媒が循環して冷却システム回路が安定してくると、図２のように、ドライヤー３内では冷媒７が液体層７ｂと気体層７ａの２層状態となっている事が知られている。冷媒７が液体層７ｂと気体層７ａの２層の境界水位面７ｃは、キャピラリーチューブ６の圧力自動調節機能により、キャピラリーチューブ６のやや上で平衡安定する。冷媒７が循環する際、キャピラリーチューブ６は冷媒７を液体層７ｂだけでなく気体層７ａからも吸い込もうとし境界水位面７ｃは部分陥没７ｄし，気体冷媒７ｅはキャピラリーチューブ６内に流れ込む。キャピラリーチューブ６の先端が上方に向いているので、気体冷媒７ｅを吸引して出来る部分陥没７ｄの先端角度はキャピラリーチューブ６の先端面６ａで規制されても緩やかな角度８になり、吸い込み時の冷媒９による笛吹き異音は発生しない。
【００２０】
またキャピラリーチューブ６への冷媒の流れは、境界水位面７ｃの陥没７ｄが切れる可能性が無くなり、気体冷媒７ｅと液体冷媒７ｂを安定する事が出来、安定した性能を提供すると共に、ドライヤー３挿入口内経とキャピラリーチューブ６外経の隙間によるガタツキでも、挿入したキャピラリーチューブ先端を上方向きに維持管理することができる。
【００２１】
また、キャピラリーチューブ６の先端近傍に儲けた屈曲部１５で挿入代を規制位置決め出来るので、管理もしやすい。
【００２２】
また、ドライヤー３の凝縮器パイプ挿入口はキャピラリーチューブ挿入口より上方に位置しているため、ドライヤー内に溜まる液冷媒の上方となり、凝縮器からの気化冷媒がドライヤー内に入った際も、ボコボコ音等の異音を発生させる事は無い。
【産業上の利用可能性】
【００２３】
以上のように、本発明にかかる冷蔵庫は、設置固定したドライヤー内に挿入配管するキャピラリーチューブの向きを規制することによる異音発生防止と安定した冷却性能を一定に保つことが可能となるので、ワインセラー等の冷凍冷蔵機器やエアコン等の空調機器にも適用できる。
【図面の簡単な説明】
【００２４】
【図１】本発明の実施の形態１における冷蔵庫のドライヤーの側面図
【図２】同実施の形態のドライヤー内キャピラリー端部入口部の冷媒循環挙動図
【図３】従来の冷蔵庫の冷凍サイクル図
【図４】従来の冷蔵庫の冷凍サイクルのドライヤーへのキャピラリーチューブの挿入配管状態図
【図５】従来の冷蔵庫のドライヤー内キャピラリー端部入口部の冷媒循環挙動図
【符号の説明】
【００２５】
３    ドライヤー
６    キャピラリーチューブ
１１  ホルダー
１２  キャピラリーチューブ挿入口
１３  凝縮器パイプ挿入口
１４  傾斜
１５  屈曲部（挿入規制用位置決め）
【図１】
2007327681.tif 000003
【図２】
2007327681.tif 000004
【図３】
2007327681.tif 000005
【図４】
2007327681.tif 000006
【図５】
2007327681.tif 000007